(57)【特許請求の範囲】
【請求項１】
情報提供装置であって、
第１ユーザによって利用される端末装置から第１コンテンツへのアクセス要求を受け付ける受付手段と、
前記受付手段によってアクセス要求が受け付けられた場合に、前記情報提供装置と異なるサービス提供装置であってコミュニケーションサービスを提供するサービス提供装置に対して投稿された他のコンテンツへのリンク情報のうち、前記コミュニケーションサービスにおいて前記第１ユーザと関係性を有する第２ユーザによって投稿されたリンク情報が表示される前記第１コンテンツを前記端末装置に配信する配信手段と
を備えたことを特徴とする情報提供装置。
【請求項２】
前記配信手段は、
前記第２ユーザを識別するためのユーザ情報を含む前記リンク情報が表示される前記第１コンテンツを前記端末装置に配信する
ことを特徴とする請求項１に記載の情報提供装置。
【請求項３】
前記配信手段は、
前記ユーザ情報として前記第２ユーザが対応付けられているユーザ画像を含む前記リンク情報が表示される前記第１コンテンツを前記端末装置に配信する
ことを特徴とする請求項２に記載の情報提供装置。
【請求項４】
所定のコンテンツを受信した前記端末装置の前記第１ユーザによる操作に従って、当該所定のコンテンツへのリンク情報として、当該所定のコンテンツを示す情報、又は、前記第１ユーザを識別するためのユーザ情報を含むリンク情報を生成する生成手段をさらに備える
ことを特徴とする請求項１〜３のいずれか一つに記載の情報提供装置。
【請求項５】
前記サービス提供装置に対して、前記生成手段によって生成されたリンク情報を送信する送信手段をさらに備え、
前記配信手段は、
前記送信手段によって送信されたリンク情報を受信した前記サービス提供装置から配信されるリンク情報が表示されるコンテンツを配信する
ことを特徴とする請求項４に記載の情報提供装置。
【請求項６】
前記リンク情報を生成するための複数のテンプレートを記憶するテンプレート記憶手段をさらに備え、
前記生成手段は、
前記テンプレート記憶手段に記憶されているテンプレートのうち、前記第１ユーザにより選択されたテンプレートを用いて、前記所定のコンテンツに対するリンク情報を生成する
ことを特徴とする請求項４又は５に記載の情報提供装置。
【請求項７】
前記生成手段は、
前記第１ユーザによって過去にテンプレートが選択された履歴情報に基づいて、前記テンプレート記憶手段に記憶されているテンプレートのうち、当該第１ユーザに選択された回数の多いテンプレートの中から当該第１ユーザに選択させる
ことを特徴とする請求項６に記載の情報提供装置。
【請求項８】
前記テンプレート記憶手段は、
製品又はサービスを広告する広告主毎に、当該広告主の属性と、当該製品又は当該サービスに関する情報が含まれるテンプレートとを対応付けて記憶し、
前記生成手段は、
前記テンプレート記憶手段に記憶されているテンプレートのうち、前記所定のコンテンツの属性に対応するテンプレートの中からリンク情報の生成に用いるテンプレートを前記第１ユーザに選択させる
ことを特徴とする請求項６又は７に記載の情報提供装置。
【請求項９】
情報提供装置が実行する情報提供方法であって、
第１ユーザによって利用される端末装置から第１コンテンツへのアクセス要求を受け付ける受付工程と、
前記受付工程によってアクセス要求が受け付けられた場合に、前記情報提供装置と異なるサービス提供装置であってコミュニケーションサービスを提供するサービス提供装置に対して投稿された他のコンテンツへのリンク情報のうち、前記コミュニケーションサービスにおいて前記第１ユーザと関係性を有する第２ユーザによって投稿されたリンク情報が表示される前記第１コンテンツを前記端末装置に配信する配信工程と
を含んだことを特徴とする情報提供方法。
【請求項１０】
情報提供装置に実行させる情報提供プログラムであって、
第１ユーザによって利用される端末装置から第１コンテンツへのアクセス要求を受け付ける受付手順と、
前記受付手順によってアクセス要求が受け付けられた場合に、前記情報提供装置と異なるサービス提供装置であってコミュニケーションサービスを提供するサービス提供装置に対して投稿された他のコンテンツへのリンク情報のうち、前記コミュニケーションサービスにおいて前記第１ユーザと関係性を有する第２ユーザによって投稿されたリンク情報が表示される前記第１コンテンツを前記端末装置に配信する配信手順と
を前記情報提供装置に実行させることを特徴とする情報提供プログラム。
【請求項１１】
情報提供装置と、当該情報提供装置と異なるサービス提供装置とを含むネットワークシステムであって、
前記情報提供装置は、
所定のコンテンツを受信した第１端末装置を利用する第１ユーザによる操作に従って、当該所定のコンテンツへのリンク情報を生成する生成手段と、
前記生成手段によって生成されたリンク情報を前記サービス提供装置に送信する送信手段と、
第２ユーザによって利用される第２端末装置から任意のコンテンツへのアクセス要求を受信した場合に、前記サービス提供装置によって配信されるリンク情報が表示される前記任意のコンテンツを前記第２端末装置に配信する第１配信手段とを備え、
前記サービス提供装置は、
前記送信手段によって送信されたリンク情報と、前記第１ユーザを識別するための情報とを対応付けて記憶する記憶手段と、
前記配信手段によって配信された任意のコンテンツを受信した前記第２端末装置からの要求に従って、当該サービス提供装置によって提供されるコミュニケーションサービスにおいて前記第１ユーザと前記第２ユーザとが関係性を有する場合に、前記記憶手段に記憶されている前記第１ユーザに対応するリンク情報を前記第２端末装置に配信する第２配信手段と
を備えたことを特徴とするネットワークシステム。
【請求項１２】
第１ユーザによって利用される端末装置から第１コンテンツへのアクセス要求を受け付ける受付手段と、
前記受付手段によってアクセス要求が受け付けられた場合に、他のコンテンツへのリンク情報のうち、所定のコミュニケーションサービスにおいて前記第１ユーザと関係性を有する第２ユーザによって投稿されたリンク情報が表示される前記第１コンテンツを前記端末装置に配信する配信手段と、
製品又はサービスを広告する広告主毎に、当該広告主の属性と、当該製品又は当該サービスに関する情報が含まれるテンプレートであってリンク情報を生成するためのテンプレートとを対応付けて記憶するテンプレート記憶手段と、
所定のコンテンツを受信した前記端末装置の前記第１ユーザによる操作に従って、テンプレート記憶手段に記憶されているテンプレートのうち前記所定のコンテンツの属性に対応するテンプレートの中から前記第１ユーザにより選択されたテンプレートを用いて、当該所定のコンテンツへのリンク情報として、当該所定のコンテンツを示す情報、又は、前記第１ユーザを識別するためのユーザ情報を含むリンク情報を生成する生成手段と
を備えたことを特徴とする情報提供装置。
【発明の詳細な説明】
【技術分野】
【０００１】
本発明は、情報提供装置、情報提供方法、情報提供プログラム及びネットワークシステムに関する。
【背景技術】
【０００２】
近年、インターネットの飛躍的な普及に伴い、インターネットを介した広告配信が盛んに行われている。例えば、ウェブページの所定の位置に、企業や商品等を宣伝する広告コンテンツを表示し、かかる広告コンテンツがクリックされた場合に、広告主のウェブページへ遷移させる広告配信が行われている。
【０００３】
このような広告配信に関する技術として、ユーザのプロフィール情報と広告主が広告に紐づけたターゲット情報（例えば、年齢層、性別等）との関連性に基づいて配信対象の広告を選択するターゲティング配信と呼ばれる技術が知られている（例えば、特許文献１を参照）。また、ソーシャルネットワーキングサービス（ＳＮＳ：Social  Networking  Service）を活用した広告配信として、ユーザが企業や製品等におけるＳＮＳのページ（以下、「企業ページ」とする）にユーザ自身を関連付け（タグ付け）することで、かかる企業ページの広告コンテンツを友人に公開するスポンサード広告と呼ばれる技術が知られている。このような技術によれば、広告効果を高めることができるとも考えられる。
【先行技術文献】
【特許文献】
【０００４】
【特許文献１】特表２０１２−５２３６１３号公報
【特許文献２】特開２００２−１３３２６５号公報
【発明の概要】
【発明が解決しようとする課題】
【０００５】
しかしながら、上記の従来技術では、訴求効果の高い広告を配信することができるとは限らなかった。具体的には、上記のスポンサード広告に関する技術では、企業ページの広告コンテンツの内容と、企業ページに関連付けしたユーザが投稿したページの内容とが異なっていることが多い。このため、企業ページの広告コンテンツを閲覧したユーザは、かかる広告コンテンツをクリックして広告主サイトに訪れないことが多い。このようなことから、従来の広告配信技術では、訴求効果の高い広告を配信することができるとは限らなかった。
【０００６】
本願は、上記に鑑みてなされたものであって、訴求効果の高い広告を配信することができる情報提供装置、情報提供方法、情報提供プログラム及びネットワークシステムを提供することを目的とする。
【課題を解決するための手段】
【０００７】
本願に係る情報提供装置は、第１ユーザによって利用される端末装置から第１コンテンツへのアクセス要求を受け付ける受付手段と、前記受付手段によってアクセス要求が受け付けられた場合に、他のコンテンツへのリンク情報のうち、所定のコミュニケーションサービスにおいて前記第１ユーザと関係性を有する第２ユーザによって投稿されたリンク情報を含む前記第１コンテンツを前記端末装置に配信する配信手段とを備えることを特徴とする。
【発明の効果】
【０００８】
実施形態の一態様によれば、訴求効果の高い広告を配信することができるという効果を奏する。
【図面の簡単な説明】
【０００９】
【図１】図１は、実施形態に係るネットワークシステムの構成例を示す図である。
【図２】図２は、実施形態に係る情報提供装置による情報提供処理の一例を示す図である。
【図３】図３は、実施形態に係る情報提供装置の構成例を示す図である。
【図４】図４は、実施形態に係るテンプレート記憶部の一例を示す図である。
【図５】図５は、実施形態に係る生成部によるシェアパネル生成処理の一例を示す図である。
【図６】図６は、実施形態に係るＳＮＳサーバの構成例を示す図である。
【図７】図７は、実施形態に係る利用者情報記憶部の一例を示す図である。
【図８】図８は、実施形態に係る画像記憶部の一例を示す図である。
【図９】図９は、実施形態に係るシェアパネル記憶部の一例を示す図である。
【図１０】図１０は、実施形態に係るネットワークシステムによるシェアパネル投稿処理手順を示すシーケンス図である。
【図１１】図１１は、実施形態に係るネットワークシステムによるシェアパネル表示処理手順を示すシーケンス図である。
【図１２】図１２は、変形例に係るネットワークシステムの構成例を示す図である。
【図１３】図１３は、変形例に係るテンプレート記憶部の一例を示す図である。
【図１４】図１４は、広告主装置によって提供されるテンプレートの一例を示す図である。
【図１５】図１５は、実施形態に係るシェアパネルの一例を示す図である。
【図１６】図１６は、実施形態に係る複数のシェアパネルの表示例を示す図である。
【図１７】図１７は、実施形態に係る複数のシェアパネルの表示例を示す図である。
【発明を実施するための形態】
【００１０】
以下に、本願に係る情報提供装置、情報提供方法、情報提供プログラム及びネットワークシステムを実施するための形態（以下、「実施形態」と呼ぶ）について図面を参照しつつ詳細に説明する。なお、この実施形態により本願に係る情報提供装置、情報提供方法、情報提供プログラム及びネットワークシステムが限定されるものではない。また、以下の各実施形態において同一の部位には同一の符号を付し、重複する説明は省略される。
【００１１】
〔１．ネットワークシステムの構成〕
まず、図１を用いて、実施形態に係るネットワークシステム１の構成について説明する。図１に示すように、実施形態に係るネットワークシステム１には、端末装置１０１及び１０２と、情報提供装置１００と、ＳＮＳサーバ２００とが含まれる。端末装置１０１及び１０２、情報提供装置１００、ＳＮＳサーバ２００は、それぞれネットワークＮと有線又は無線により接続される。なお、図１では、ネットワークシステム１に、２台の端末装置１０１及び１０２と、１台の情報提供装置１００と、１台のＳＮＳサーバ２００とが含まれる例を示したが、ネットワークシステム１には、３台以上の端末装置や、複数台の情報提供装置１００や、複数台のＳＮＳサーバ２００が含まれてもよい。
【００１２】
端末装置１０１及び１０２は、ユーザによって利用される情報処理装置であり、例えば、デスクトップ型ＰＣ（Personal  Computer）、タブレット型ＰＣ、ノート型ＰＣ、スマートフォンやＰＤＡ（Personal  Digital  Assistant）などの携帯端末である。実施形態に係る端末装置１０１及び１０２は、ブラウザ等を搭載しており、ウェブページを表示する機能を有する。なお、端末装置１０１及び１０２は、それぞれ同様の機能を有するので、以下では、端末装置１０１及び１０２を区別する必要がない場合には、これらを総称して「端末装置１０」と表記する場合がある。
【００１３】
情報提供装置１００は、各種ウェブページを端末装置１０に提供するサーバ装置である。例えば、情報提供装置１００は、ニュースサイト、ファイナンスサイト（株価サイト）、天気サイト、ショッピングサイト、検索エンジンサイト、ネットオークションサイト等のウェブページを配信する。
【００１４】
ＳＮＳサーバ２００は、コミュニケーションサービスの一例としてソーシャルネットワーキングサービスを提供するサービス提供装置である。例えば、ＳＮＳサーバ２００は、会員ユーザ間のインターネット上における関係性（例えば、友人関係など）をソーシャルネットワークとして管理し、会員ユーザによって投稿された記事ページや写真画像等を同一のソーシャルネットワークに属する他ユーザに公開するサービスを提供する。このようなＳＮＳサーバ２００によって提供されるサービスは、例えば、ｆａｃｅｂｏｏｋ（登録商標）、ｔｗｉｔｔｅｒ（登録商標）、ｍｉｘｉ（登録商標）等と呼ばれるサービスに該当する。
【００１５】
図１に示したネットワークシステム１において、情報提供装置１００は、端末装置１０１のユーザ操作に従って、端末装置１０１に配信したウェブページに対するリンク情報を生成し、生成したリンク情報をＳＮＳサーバ２００に送信する。これにより、端末装置１０１のユーザは、ウェブページへのリンク情報をＳＮＳサーバ２００に投稿することができる。そして、情報提供装置１００は、端末装置１０２からアクセス要求を受け付けた場合に、ＳＮＳサーバ２００によって提供されるソーシャルネットワーキングサービスにおいて端末装置１０２のユーザと友人関係にあるユーザによって投稿されたリンク情報が表示されるウェブページを端末装置１０２に配信する。例えば、端末装置１０１のユーザと端末装置１０２のユーザとが友人関係にある場合、情報提供装置１００は、端末装置１０１のユーザによって投稿されたリンク情報が表示されるウェブページを端末装置１０２に配信する。以下、図２を用いて、このような情報提供装置１００による処理について説明する。なお、以下の実施形態では、ウェブページへのリンク情報として、ウェブページへのリンクが張られているリンク画像（以下、「シェアパネル」と表記する）を生成する例について説明する。
【００１６】
〔２．情報提供処理〕
図２は、実施形態に係る情報提供装置１００による情報提供処理の一例を示す図である。図２の例では、図１に示した端末装置１０１がユーザＵ１によって利用され、端末装置１０２がユーザＵ２によって利用されるものとする。また、ユーザＵ１及びユーザＵ２は、ＳＮＳサーバ２００によって提供されるソーシャルネットワーキングサービスおいて、同一のソーシャルネットワークに属する友人関係にあるものとする。
【００１７】
まず、端末装置１０１は、図２（ａ）に示すように、ユーザＵ１による操作に従って、情報提供装置１００にアクセス要求を送信することにより、情報提供装置１００から配信されるウェブページＷ１１をブラウザ等に表示する。図２（ａ）に示したウェブページＷ１１には、記事表示枠Ｃ１１と、一般広告枠Ｃ１２と、シェア用広告枠Ｃ１３とが含まれる。
【００１８】
記事表示枠Ｃ１１は、ニュース記事等が表示される領域である。ここの例では、記事表示枠Ｃ１１には、「２０１２月１２月１日」に投稿されたタイトル「次世代スマホＡ発売！」の記事が表示されている。一般広告枠Ｃ１２は、企業等の広告主によって情報提供装置１００に入稿された広告コンテンツが表示される領域である。シェア用広告枠Ｃ１３は、端末装置１０のユーザ（例えば、ユーザＵ２等）によって投稿されたシェアパネルが表示される領域である。
【００１９】
ここで、実施形態に係る情報提供装置１００は、記事表示枠Ｃ１１にマイシェアボタンＢ１０が表示されるウェブページＷ１１を端末装置１０１に配信する。かかるマイシェアボタンＢ１０は、ウェブページＷ１１へのリンク情報であるシェアパネルを生成するためのボタンである。図２（ｂ）に示した例では、情報提供装置１００は、ユーザＵ１によってマイシェアボタンＢ１０が押下された場合に、ウェブページＷ１１へのリンク情報としてシェアパネルＰＮ１０を生成する。かかるシェアパネルＰＮ１０の生成処理については後に詳述するが、以下に概要を簡単に説明する。
【００２０】
まず、情報提供装置１００は、マイシェアボタンＢ１０が押下された場合に、ウェブページＷ１１の記事に対するコメントをユーザＵ１に入力させる。また、情報提供装置１００は、ＳＮＳサーバ２００が保持する写真画像のうち、ユーザＵ１が対応付けられている写真画像の中からシェアパネルに掲載する写真画像をユーザＵ１に選択させる。そして、情報提供装置１００は、図２（ｂ）に示すように、ウェブページＷ１１の記事表示枠Ｃ１１に表示されている記事のタイトル「次世代スマホＡ発売！」をタイトル枠ＰＡ１に組み込み、ユーザＵ１に入力されたコメントをコメント枠ＰＡ２に組み込み、ユーザＵ１に選択された写真画像を画像枠ＰＡ３に組み込むことにより、シェアパネルＰＮ１０を生成する。このようなシェアパネルＰＮ１０は、ウェブページＷ１１のＵＲＬ（Uniform  Resource  Locator）等が関連付けられた画像であり、ウェブページＷ１１へのリンク画像として機能する。
【００２１】
そして、図２（ｂ）において、情報提供装置１００は、シェアパネルＰＮ１０を投稿するための投稿ボタンが押下された場合に、かかるシェアパネルＰＮ１０をＳＮＳサーバ２００に送信する。これにより、ユーザＵ１は、ウェブページＷ１１を閲覧している状態において、ウェブページＷ１１へのリンク情報であるシェアパネルＰＮ１０をＳＮＳサーバ２００に投稿することができる。
【００２２】
この後に、端末装置１０２は、図２（ｃ）に示すように、ユーザＵ２による操作に従って、情報提供装置１００に対してウェブページＷ１２へのアクセス要求を送信したものとする。この場合に、情報提供装置１００は、ユーザＵ２と友人関係にある他ユーザによってＳＮＳサーバ２００に投稿されたシェアパネルを表示するためのシェア用広告枠Ｃ１３を含むウェブページＷ１２を端末装置１０２に配信する。そして、端末装置１０２は、シェア用広告枠Ｃ１３を含むウェブページＷ１２を受信した場合に、ＳＮＳサーバ２００にアクセスすることで、ユーザＵ２と友人関係にあるユーザによって投稿されたシェアパネルをＳＮＳサーバ２００から取得し、取得したシェアパネルをシェア用広告枠Ｃ１３に表示する。
【００２３】
図２（ｃ）に示した例の場合、端末装置１０２は、ユーザＵ２と友人関係にあるユーザＵ１によって投稿されたシェアパネルＰＮ１０をシェア用広告枠Ｃ１３に表示する。この状態において、端末装置１０２は、ユーザＵ２によりシェアパネルＰＮ１０が押下された場合に、情報提供装置１００に対してウェブページＷ１１へのアクセス要求を送信する。これにより、端末装置１０２は、図２（ｄ）に示すように、ウェブページＷ１１を表示する。
【００２４】
なお、図２では図示することを省略したが、図２（ａ）及び（ｂ）に示したシェア用広告枠Ｃ１３には、ユーザＵ１と友人関係にある他ユーザによって投稿されたシェアパネルが表示される。また、図２（ｄ）に示したシェア用広告枠Ｃ１３には、ユーザＵ２と友人関係にある他ユーザによって投稿されたシェアパネルが表示される。また、図２に示した例において、シェア用広告枠Ｃ１３に表示すべきシェアパネルが存在しない場合には、シェア用広告枠Ｃ１３には、一般広告枠Ｃ１２と同様に、企業等の広告主が入稿した広告コンテンツが表示されてもよい。
【００２５】
このように、実施形態に係る情報提供装置１００は、ユーザ操作に従って、ウェブページへのリンク情報であるシェアパネルを生成する。そして、情報提供装置１００は、端末装置１０からアクセス要求を受け付けた場合に、かかる端末装置１０のユーザとソーシャルネットワーキングサービスにおいて友人関係にあるユーザによって投稿されたシェアパネルが表示されるウェブページを配信する。
【００２６】
これにより、情報提供装置１００は、ユーザにクリックされやすいシェアパネルを広告として配信することができる。この点について説明すると、一般的に、ユーザは、企業等によって入稿された広告コンテンツよりも、友人によって投稿されたコンテンツをクリックする可能性が高い。これは、ユーザは、友人自身によって加工されたコンテンツについてはクリックしたいという欲求が働くからである。すなわち、実施形態に係る情報提供装置１００は、友人によって加工されたシェアパネルをウェブページに表示することで、訴求効果の高い広告を配信することができる。図２の例の場合、ユーザＵ２は、シェアパネルＰＮ１０をクリックする可能性が高く、ウェブページＷ１１を閲覧する可能性が高い。このため、ウェブページＷ１１に記事が記載された企業（例えば、スマホＡを販売している企業）にとっては、高い広告効果を得ることができる。以下、このような情報提供処理を行う情報提供装置１００及びＳＮＳサーバ２００について詳細に説明する。
【００２７】
〔３．情報提供装置の構成〕
次に、図３を用いて、実施形態に係る情報提供装置１００の構成について説明する。図３は、実施形態に係る情報提供装置１００の構成例を示す図である。図３に示すように、情報提供装置１００は、通信部１１０と、記憶部１２０と、制御部１３０とを有する。なお、情報提供装置１００は、情報提供装置１００を利用する管理者等から各種操作を受け付ける入力部（例えば、キーボードやマウス等）や、各種情報を表示するための表示部（液晶ディスプレイ等）を有してもよい。
【００２８】
（通信部１１０）
通信部１１０は、例えば、ＮＩＣ（Network  Interface  Card）等によって実現される。かかる通信部１１０は、図１に示したネットワークＮと有線又は無線により接続され、ネットワークＮを介して、端末装置１０やＳＮＳサーバ２００との間で情報の送受信を行う。
【００２９】
（記憶部１２０）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１２０は、図３に示すように、コンテンツ記憶部１２１と、テンプレート記憶部１２２とを有する。
【００３０】
（コンテンツ記憶部１２１）
コンテンツ記憶部１２１は、コンテンツの一例として、ウェブページやウェブページを形成する部品を記憶する。例えば、コンテンツ記憶部１２１は、ウェブページを形成する部品として、ウェブページに表示される記事データや画像等を記憶する。
【００３１】
（テンプレート記憶部１２２）
テンプレート記憶部１２２は、シェアパネルの雛形であるテンプレートを記憶する。図４に、実施形態に係るテンプレート記憶部１２２の一例を示す。図４に示すように、テンプレート記憶部１２２は、リンク先のウェブページのタイトル等が表示されるタイトル枠ＰＡ１と、ユーザに入力されるコメントが表示されるコメント枠ＰＡ２と、ユーザに選択される写真画像が表示される画像枠ＰＡ３とを含む複数のテンプレートＴＰ１〜ＴＰ３を記憶する。
【００３２】
また、図４示すように、テンプレート記憶部１２２に記憶されるテンプレートＴＰ１〜ＴＰ３のそれぞれは、背景が異なる場合や、各表示枠ＰＡ１〜ＰＡ３の配置が異なる場合や、コメント枠ＰＡ２の吹き出しの形状が異なる場合がある。ユーザは、シェアパネルを生成する場合に、テンプレート記憶部１２２に記憶されているテンプレートＴＰ１〜ＴＰ３の中から所望のテンプレートを選択することができる。なお、前述の図２（ｂ）では、ユーザＵ１によってテンプレートＴＰ１が選択された例を示している。
【００３３】
（制御部１３０）
図３の説明に戻って、制御部１３０は、例えば、ＣＰＵ（Central  Processing  Unit）やＭＰＵ（Micro  Processing  Unit）等によって、内部の記憶装置（記憶部１２０等）に記憶されているプログラム（情報提供プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３４】
かかる制御部１３０は、図３に示すように、受付部１３１と、配信部１３２と、生成部１３３と、送信部１３４とを有し、以下に説明する情報処理の機能や作用を実現又は実行する。なお、制御部１３０の内部構成は、図３に示した構成に限られず、後述する情報処理を行う構成であれば他の構成であってもよい。
【００３５】
（受付部１３１）
受付部１３１は、端末装置１０からウェブページへのアクセス要求を受け付ける。例えば、受付部１３１は、ＨＴＴＰ（Hypertext  Transfer  Protocol）等に従って、ＨＴＭＬ（HyperText  Markup  Language）等の言語で記述されたウェブページの取得要求であるＨＴＴＰリクエスト等を端末装置１０から受け付ける。
【００３６】
（配信部１３２）
配信部１３２は、受付部１３１によってアクセス要求が受け付けられた場合に、コンテンツ記憶部１２１に記憶されている各種コンテンツに基づいて、かかるアクセス要求に対応するウェブページをアクセス要求の送信元である端末装置１０に配信する。
【００３７】
ここで、実施形態に係る配信部１３２は、図２を用いて説明したように、シェアパネルを生成するためのマイシェアボタンＢ１０が表示されるウェブページを端末装置１０に配信する。これにより、端末装置１０のユーザは、マイシェアボタンＢ１０を押下することでシェアパネルを生成することができる。
【００３８】
また、実施形態に係る配信部１３２は、ＳＮＳサーバ２００によって提供されるソーシャルネットワーキングサービスにおいてアクセス要求の送信元のユーザと友人関係にあるユーザによって投稿されたシェアパネルが表示されるシェア用広告枠を含むウェブページを配信する。具体的には、配信部１３２は、シェアパネルの取得要求をＳＮＳサーバ２００に送信する情報（例えば、シェアパネルの取得要求を示すＳＮＳサーバ２００のＵＲＬ）が埋め込まれたシェア用広告枠を含むウェブページを端末装置１０に配信する。これにより、端末装置１０は、シェア用広告枠を含むウェブページを受信した場合に、ＳＮＳサーバ２００にシェアパネルの取得要求を送信し、かかる取得要求に応答してＳＮＳサーバ２００から送信されるシェアパネルをシェア用広告枠に表示する。
【００３９】
例えば、図２（ｃ）に示した例の場合、端末装置１０２は、情報提供装置１００からシェア用広告枠Ｃ１３を含むウェブページＷ１２を受信した場合に、ＳＮＳサーバ２００にシェアパネルの取得要求を送信する。これにより、端末装置１０２は、ＳＮＳサーバ２００からシェアパネルＰＮ１０を取得し、取得したシェアパネルＰＮ１０をシェア用広告枠Ｃ１３に表示する。
【００４０】
（生成部１３３）
生成部１３３は、端末装置１０のユーザによってシェアパネルを生成する旨の操作が行われた場合に、シェアパネルの生成処理を行う。具体的には、生成部１３３は、配信部１３２によって配信されたウェブページを受信した端末装置１０からシェアパネル生成要求を受信した場合に、かかるシェアパネル生成要求に応じてシェアパネルの生成処理を行う。以下、図５を用いて、実施形態に係る生成部１３３によるシェアパネル生成処理の一例を説明する。
【００４１】
図５（ａ）は、図２（ａ）と同様に、端末装置１０のブラウザにウェブページＷ１１が表示されている状態を示す。図５（ａ）の例において、端末装置１０は、ユーザによってマイシェアボタンＢ１０が押下された場合に、シェアパネルを生成する旨をＳＮＳサーバ２００に通知することにより、ＳＮＳサーバ２００にログインする。例えば、端末装置１０は、ユーザにより入力されるユーザＩＤ（後述するＳＮＳ側ユーザＩＤ）とパスワードをＳＮＳサーバ２００に送信することでＳＮＳサーバ２００にログインする。そして、ＳＮＳサーバ２００は、ユーザのログインが成功した場合に、かかるユーザが対応付けられている所定数の写真画像を端末装置１０に送信する。
【００４２】
ここで、「ユーザが対応付けられている写真画像」について説明する。ＳＮＳサーバ２００によって提供されるソーシャルネットワーキングサービスでは、各ユーザが、自身が投稿した写真画像や友人が投稿した写真画像に対して、ユーザ（友人や自身）を対応付けることができる。このとき、各ユーザは、写真画像全体にユーザを対応付けることもできるし、写真画像の一部領域にユーザを対応付けることもできる。例えば、ユーザは、写真画像に複数のユーザが写っている場合に、写真画像の一部領域に対して、かかる領域に写っているユーザを対応付けることができる。このような写真画像にユーザを対応付けることは「タグ付け」等と呼ばれる。
【００４３】
図５の説明に戻って、端末装置１０は、図５（ａ）の例においてマイシェアボタンＢ１０が押下された場合に、シェアパネル生成要求を情報提供装置１００に送信する。情報提供装置１００の生成部１３３は、端末装置１０からシェアパネル生成要求を受信した場合に、図５（ｂ）に示すように、テンプレート選択画面Ｗ２１を端末装置１０に送信する。具体的には、生成部１３３は、テンプレート記憶部１２２に記憶されているテンプレートを取得し、取得したテンプレートが一覧表示されるテンプレート選択画面Ｗ２１を端末装置１０に送信する。
【００４４】
そして、生成部１３３は、テンプレート選択画面Ｗ２１においてユーザによりテンプレートが選択された場合に、図５（ｃ）に示すように、コメント入力画面Ｗ２２を端末装置１０に送信する。かかるコメント入力画面Ｗ２２には、タイトル表示欄Ｔ１１と、コメント入力欄Ｔ１２と、シェア画像生成ボタンＢ１１と、キャンセルボタンＢ１２とが含まれる。タイトル表示欄Ｔ１１には、ウェブページＷ１１に表示されている記事のタイトル（ここの例では、「次世代スマホＡ発売！」）と、ウェブページＷ１１のＵＲＬとが編集不可能な状態で表示される。コメント入力欄Ｔ１２は、ユーザがコメントを入力するための入力欄である。
【００４５】
ここで、コメント入力画面Ｗ２２においてキャンセルボタンＢ１２が押下された場合には、コメント入力画面Ｗ２２が閉じられ、図５（ａ）の状態に戻る。一方、コメント入力欄Ｔ１２にコメントが入力された状態でシェア画像生成ボタンＢ１１が押下された場合、生成部１３３は、図５（ｄ）に示すシェア画像選択画面Ｗ２３を端末装置１０に送信する。かかるシェア画像選択画面Ｗ２３には、ＳＮＳサーバ２００から送信された写真画像の一覧が表示される。このとき、シェア画像選択画面Ｗ２３には、写真画像のうちユーザがタグ付けられている領域が表示される。
【００４６】
そして、生成部１３３は、シェア画像選択画面Ｗ２３において写真画像が選択された場合に、図５（ｅ）に示すように、シェアパネルＰＮ１０を生成する。ここでは、図５（ｂ）に示したテンプレート選択画面Ｗ２１において、図４に示したテンプレートＴＰ１が選択され、図５（ｃ）に示したコメント入力画面Ｗ２２において、「買いました！」といったコメントが入力され、図５（ｄ）に示したシェア画像選択画面Ｗ２３において、写真画像Ｇ１１が選択されたものとする。かかる場合に、生成部１３３は、テンプレートのタイトル枠ＰＡ１に記事タイトル「次世代スマホＡ発売！」を組み込み、コメント枠ＰＡ２にコメント「買いました！」を組み込み、画像枠ＰＡ３に写真画像Ｇ１１を組み込むことにより、シェアパネルＰＮ１０を生成する。このとき、生成部１３３は、写真画像Ｇ１１のうち、ユーザがタグ付けられている領域を画像枠ＰＡ３に組み込む。
【００４７】
そして、生成部１３３は、図５（ｅ）に示すように、シェアパネルＰＮ１０を含む確認画面Ｗ２４を端末装置１０に送信する。かかる確認画面Ｗ２４には、シェアパネルＰＮ１０の他に、投稿ボタンＢ１３と、他画像ボタンＢ１４と、キャンセルボタンＢ１５とが含まれる。
【００４８】
ここで、確認画面Ｗ２４において投稿ボタンＢ１３が押下された場合に、生成部１３３は、シェアパネルＰＮ１０を送信部１３４に出力する。また、他画像ボタンＢ１４が押下された場合には、図５（ｄ）の状態に戻る。このとき、端末装置１０は、ＳＮＳサーバ２００から新たな写真画像を取得し、取得した写真画像をシェア画像選択画面Ｗ２３に一覧表示してもよい。また、確認画面Ｗ２４においてキャンセルボタンＢ１５が押下された場合には、図５（ａ）の状態に戻る。
【００４９】
このようにして、生成部１３３は、シェアパネルＰＮ１０を生成し、生成したシェアパネルＰＮ１０を送信部１３４に出力する。なお、図５では、コメント入力画面Ｗ２１等の各画面がポップアップ形式により表示される例を示したが、これらの各画面は、ウェブページＷ１１から画面遷移する形式により表示されてもよい。また、図５では、コメント入力画面Ｗ２２のタイトル表示欄Ｔ１１に記事のタイトルが編集不可能な状態で表示される例を示したが、記事のタイトルは編集可能な状態で表示されてもよい。また、図５では、生成部１３３が、コメント入力画面Ｗ２１等の各画面を形成するウェブページを端末装置１０に送信する例を示したが、図５（ａ）に示したウェブページＷ１１とともに各画面を形成するウェブページを端末装置１０に送信しておいてもよい。また、図５（ｂ）では図示することを省略したが、テンプレート選択画面Ｗ２１には、テンプレート選択画面Ｗ２１を閉じて図５（ａ）の状態に戻るためのキャンセルボタンが含まれてもよい。また、図５（ｄ）では図示することを省略したが、シェア画像選択画面Ｗ２３には、コメント入力画面Ｗ２２に戻るための戻るボタンや、シェア画像選択画面Ｗ２３を閉じて図５（ａ）の状態に戻るためのキャンセルボタンが含まれてもよい。
【００５０】
（送信部１３４）
送信部１３４は、生成部１３３によって生成されたシェアパネルをＳＮＳサーバ２００に送信する。このとき、送信部１３４は、シェアパネルを生成した端末装置１０を特定するための特定情報（例えば、後述する認証キーやＳＮＳ側ユーザＩＤなど）とともにシェアパネルをＳＮＳサーバ２００に送信する。
【００５１】
〔４．ＳＮＳサーバの構成〕
次に、図６を用いて、実施形態に係るＳＮＳサーバ２００の構成について説明する。図６は、実施形態に係るＳＮＳサーバ２００の構成例を示す図である。図６に示すように、ＳＮＳサーバ２００は、通信部２１０と、記憶部２２０と、制御部２３０とを有する。なお、ＳＮＳサーバ２００は、ＳＮＳサーバ２００を利用する管理者等から各種操作を受け付ける入力部（例えば、キーボードやマウス等）や、各種情報を表示するための表示部（液晶ディスプレイ等）を有してもよい。
【００５２】
（通信部２１０）
通信部２１０は、例えば、ＮＩＣ等によって実現される。かかる通信部２１０は、図１に示したネットワークＮと有線又は無線により接続され、ネットワークＮを介して、端末装置１０や情報提供装置１００との間で情報の送受信を行う。
【００５３】
（記憶部２２０）
記憶部２２０は、例えば、ＲＡＭ、フラッシュメモリ等の半導体メモリ素子、または、ハードディスク、光ディスク等の記憶装置によって実現される。かかる記憶部２２０は、図６に示すように、利用者情報記憶部２２１と、画像記憶部２２２と、シェアパネル記憶部２２３とを有する。
【００５４】
（利用者情報記憶部２２１）
利用者情報記憶部２２１は、ＳＮＳサーバ２００を利用するユーザのアカウントに関する情報を記憶する。図７に、実施形態に係る利用者情報記憶部２２１の一例を示す。図７に示した例では、利用者情報記憶部２２１は、「ＳＮＳ側ユーザＩＤ」、「パスワード」、「友人ＩＤ」といった項目を有する。
【００５５】
「ＳＮＳ側ユーザＩＤ」は、ＳＮＳサーバ２００においてユーザを識別するための識別子を示す。「パスワード」は、ＳＮＳサーバ２００において管理されるユーザのパスワードを示す。「友人ＩＤ」は、ソーシャルネットワーキングサービスにおいてユーザと友人関係にある他ユーザのＳＮＳ側ユーザＩＤを示す。
【００５６】
すなわち、図７では、ＳＮＳ側ユーザＩＤ「Ｕ１」によって識別されるユーザのパスワードが「Ｐ２１」である例を示している。また、図７では、ＳＮＳ側ユーザＩＤ「Ｕ１」のユーザが、ＳＮＳサーバ２００によって提供されるソーシャルネットワーキングサービスにおいて、ＳＮＳ側ユーザＩＤ「Ｕ２」のユーザ、及び、ＳＮＳ側ユーザＩＤ「Ｕ３」のユーザと友人関係にある例を示している。
【００５７】
（画像記憶部２２２）
画像記憶部２２２は、ＳＮＳサーバ２００によって提供されるソーシャルネットワーキングサービスを利用する各ユーザから投稿（アップロード）された写真画像を記憶する。実施形態に係る画像記憶部２２２は、ユーザ毎に、かかるユーザがタグ付けされている写真画像を記憶する。図８に、実施形態に係る画像記憶部２２２の一例を示す。図８に示した例では、画像記憶部２２２は、「ＳＮＳ側ユーザＩＤ」、「タグ付き画像」、「タグ領域」といった項目を有する。
【００５８】
「ＳＮＳ側ユーザＩＤ」は、図７に示したＳＮＳ側ユーザＩＤに対応する。「タグ付き画像」は、ユーザがタグ付けされている写真画像のファイル名を示す。「タグ領域」は、写真画像のうちユーザが関連付けられている領域を示す。なお、図８では、「タグ領域」に簡略化した情報（Ｒ１１等）が記憶されている例を示したが、「タグ領域」には、例えば、写真画像の領域を示す座標等（四角形の領域の場合、４頂点の座標）が記憶される。
【００５９】
すなわち、図８では、ＳＮＳ側ユーザＩＤ「Ｕ１」によって識別されるユーザが、ファイル名が「Ｇ１１．ｇｉｆ」である写真画像の領域「Ｒ１１」に関連付けられており、ファイル名が「Ｇ１２．ｇｉｆ」である写真画像の領域「Ｒ１２」に関連付けられており、ファイル名が「Ｇ１３．ｇｉｆ」である写真画像の領域「Ｒ１３」に関連付けられている例を示している。
【００６０】
（シェアパネル記憶部２２３）
シェアパネル記憶部２２３は、情報提供装置１００の送信部１３４によって送信されるシェアパネルを記憶する。図９に、実施形態に係るシェアパネル記憶部２２３の一例を示す。図９に示した例では、シェアパネル記憶部２２３は、「ＳＮＳ側ユーザＩＤ」、「シェアパネル」といった項目を有する。「ＳＮＳ側ユーザＩＤ」は、図７及び図８に示したＳＮＳ側ユーザＩＤに対応する。「シェアパネル」は、情報提供装置１００を介してユーザによって投稿されたシェアパネルのファイル名を示す。
【００６１】
すなわち、図９では、ＳＮＳ側ユーザＩＤ「Ｕ１」によって識別されるユーザが、ファイル名が「ＰＮ１０．ｇｉｆ」、「ＰＮ２０．ｇｉｆ」及び「ＰＮ３０．ｇｉｆ」であるシェアパネルをＳＮＳサーバ２００に投稿した例を示している。
【００６２】
（制御部２３０）
図６の説明に戻って、制御部２３０は、例えば、ＣＰＵやＭＰＵ等によって、内部の記憶装置（記憶部２２０等）に記憶されているプログラムがＲＡＭを作業領域として実行されることにより実現される。また、制御部２３０は、例えば、ＡＳＩＣやＦＰＧＡ等の集積回路により実現される。
【００６３】
かかる制御部２３０は、図６に示すように、認証部２３１と、画像送信部２３２と、格納部２３３と、配信部２３４とを有し、以下に説明する情報処理の機能や作用を実現又は実行する。なお、制御部２３０の内部構成は、図６に示した構成に限られず、後述する情報処理を行う構成であれば他の構成であってもよい。
【００６４】
（認証部２３１）
認証部２３１は、端末装置１０から認証要求を受け付けた場合に、端末装置１０のユーザを認証する。例えば、認証部２３１は、端末装置１０にログイン画面などを送信し、かかるログイン画面に入力されたユーザＩＤ及びパスワードの組合せが利用者情報記憶部２２１に記憶されているか否かを判定する。そして、認証部２３１は、利用者情報記憶部２２１に記憶されている場合に認証成功と判定し、利用者情報記憶部２２１に記憶されていない場合に認証失敗と判定する。
【００６５】
図５（ａ）に示した例を用いて説明すると、端末装置１０は、マイシェアボタンＢ１０が押下された場合に、シェアパネルを生成する旨をＳＮＳサーバ２００に通知する。かかる場合に、認証部２３１は、端末装置１０にログイン画面などを送信することで、上述した認証処理を行う。
【００６６】
（画像送信部２３２）
画像送信部２３２は、画像記憶部２２２に記憶されている写真画像を端末装置１０に送信する。具体的には、画像送信部２３２は、端末装置１０からシェアパネルを生成する旨を通知され、かつ、認証部２３１による認証が成功した場合に、かかる端末装置１０のユーザがタグ付けられている写真画像を画像記憶部２２２から取得し、取得した写真画像を端末装置１０に送信する。このとき、画像送信部２３２は、画像記憶部２２２から取得した写真画像の数が所定の閾値以上である場合には、予め決められている所定数（例えば、１０個）の写真画像を端末装置１０に送信する。
【００６７】
（格納部２３３）
格納部２３３は、情報提供装置１００の送信部１３４によって送信されたシェアパネルをシェアパネル記憶部２２３に格納する。具体的には、格納部２３３は、端末装置１０を特定するための特定情報とともにシェアパネルを送信部１３４から受信し、受信した特定情報によって特定されるＳＮＳ側ユーザＩＤに対応付けて、シェアパネルをシェアパネル記憶部２２３に格納する。
【００６８】
（配信部２３４）
配信部２３４は、端末装置１０からシェアパネルの取得要求を受信した場合に、かかる端末装置１０のユーザと友人関係にあるユーザによって投稿されたシェアパネルを端末装置１０に配信する。具体的には、配信部２３４は、シェアパネルの取得要求を送信した端末装置１０のＳＮＳ側ユーザＩＤに対応する友人ＩＤを利用者情報記憶部２２１から取得し、取得した友人ＩＤ（ＳＮＳ側ユーザＩＤ）に対応するシェアパネルをシェアパネル記憶部２２３から取得する。そして、配信部２３４は、シェアパネル記憶部２２３から取得したシェアパネルのうち、任意のシェアパネルをシェアパネルの取得要求を送信した端末装置１０に配信する。
【００６９】
図２（ｃ）に示した例を用いて説明する。なお、ここでは、利用者情報記憶部２２１が図７に示した状態であり、シェアパネル記憶部２２３が図９に示した状態であるものとする。また、ユーザＵ１のＳＮＳ側ユーザＩＤが「Ｕ１」であり、ユーザＵ２のＳＮＳ側ユーザＩＤが「Ｕ２」であるものとする。図２（ｃ）に示した例の場合、ＳＮＳサーバ２００の配信部２３４は、端末装置１０２からシェアパネルの取得要求を受信する。この場合、配信部２３４は、ユーザＵ２のＳＮＳ側ユーザＩＤ「Ｕ２」に対応する友人ＩＤ「Ｕ１」を利用者情報記憶部２２１から取得する。そして、配信部２３４は、かかる友人ＩＤ「Ｕ１」に対応するシェアパネル「Ｇ１１．ｇｉｆ」、「Ｇ１２．ｇｉｆ」及び「Ｇ１３．ｇｉｆ」をシェアパネル記憶部２２３から取得する。そして、配信部２３４は、シェアパネル「Ｇ１１．ｇｉｆ」、「Ｇ１２．ｇｉｆ」及び「Ｇ１３．ｇｉｆ」のうち、任意のシェアパネル（例えば、「Ｇ１１．ｇｉｆ」）を端末装置１０２に配信する。
【００７０】
〔５．シェアパネル投稿処理〕
次に、図１０を用いて、実施形態に係るネットワークシステム１によるシェアパネルの投稿処理について説明する。図１０は、実施形態に係るネットワークシステム１によるシェアパネル投稿処理手順を示すシーケンス図である。
【００７１】
図１０に示すように、端末装置１０は、ユーザ操作に従って、情報提供装置１００にウェブページへのアクセス要求を送信する（ステップＳ１０１）。これにより、情報提供装置１００の受付部１３１は、端末装置１０からアクセス要求を受け付ける。そして、情報提供装置１００の配信部１３２は、受付部１３１によって受け付けられたアクセス要求に応答して、シェアパネルを生成するためのマイシェアボタンＢ１０が表示されるウェブページを端末装置１０に配信する（ステップＳ１０２）。
【００７２】
続いて、端末装置１０は、ウェブページに表示されているマイシェアボタンＢ１０を押下する操作をユーザから受け付けたものとする（ステップＳ１０３）。かかる場合に、端末装置１０は、シェアパネルを生成する旨をＳＮＳサーバ２００に通知することにより、ＳＮＳサーバ２００にログインする（ステップＳ１０４）。このとき、ＳＮＳサーバ２００の認証部２３１は、端末装置１０からＳＮＳ側ユーザＩＤ及びパスワードを受信する等して認証処理を行う。なお、図１０の例では、認証部２３１は、認証に成功した場合に、端末装置１０のユーザがログインに成功したことを示す認証キーを発行し、発行した認証キーをＳＮＳ側ユーザＩＤに対応付けて保持するとともに、端末装置１０に送信するものとする。かかる認証キーは、例えば、端末装置１０からのアクセスのたびに発行されるワンタイムパスワードのような情報に該当する。
【００７３】
続いて、ＳＮＳサーバ２００の画像送信部２３２は、認証部２３１によるログイン処理が成功した場合に、端末装置１０のユーザがタグ付けられている写真画像を画像記憶部２２２から取得し、取得した写真画像を端末装置１０に送信する（ステップＳ１０５）。
【００７４】
続いて、情報提供装置１００の生成部１３３は、シェアパネルの生成に要するシェアパネル情報や、ステップＳ１０４においてＳＮＳサーバ２００の認証部２３１によって発行された認証キーを端末装置１０から取得する（ステップＳ１０６）。なお、ここでいう「シェアパネル情報」とは、図５に示したテンプレート選択画面Ｗ２１においてユーザにより選択されるテンプレートや、コメント入力画面Ｗ２２においてユーザにより入力されるコメントや、シェア画像選択画面Ｗ２３においてユーザにより選択される写真画像を示す。
【００７５】
続いて、生成部１３３は、端末装置１０から取得したシェアパネル情報に基づいて、シェアパネルを生成する（ステップＳ１０７）。そして、送信部１３４は、生成部１３３によって生成されたシェアパネルと、端末装置１０から取得した認証キーとをＳＮＳサーバ２００に送信する（ステップＳ１０８）。
【００７６】
続いて、ＳＮＳサーバ２００の格納部２３３は、情報提供装置１００の送信部１３４から受信したシェアパネルをシェアパネル記憶部２２３に格納する（ステップＳ１０９）。このとき、格納部２３３は、送信部１３４から受信した認証キーに基づいて、シェアパネルを投稿したユーザのＳＮＳ側ユーザＩＤを特定し、特定したＳＮＳ側ユーザＩＤに対応付けてシェアパネルをシェアパネル記憶部２２３に格納する。
【００７７】
続いて、格納部２３３は、シェアパネルの格納処理が完了した場合に、情報提供装置１００に完了通知を送信する（ステップＳ１１０）。そして、情報提供装置１００の送信部１３４は、格納部２３３から完了通知を受信した場合に、端末装置１０に対して完了通知を送信する（ステップＳ１１１）。
【００７８】
〔６．シェアパネル表示処理〕
次に、図１１を用いて、実施形態に係るネットワークシステム１によるシェアパネルの表示処理について説明する。図１１は、実施形態に係るネットワークシステム１によるシェアパネル表示処理手順を示すシーケンス図である。
【００７９】
図１１に示すように、端末装置１０は、ユーザ操作に従って、情報提供装置１００にウェブページへのアクセス要求を送信する（ステップＳ２０１）。これにより、情報提供装置１００の配信部１３２は、端末装置１０のユーザと友人関係にあるユーザによって投稿されたシェアパネルが表示されるウェブページを端末装置１０に配信する（ステップＳ２０２）。例えば、配信部１３２は、図２に示した例のように、シェア用広告枠Ｃ１３を含むウェブページを配信する。
【００８０】
続いて、端末装置１０は、情報提供装置１００からシェア用広告枠Ｃ１３を含むウェブページを受信した場合に、シェアパネルの取得要求をＳＮＳサーバ２００に送信することにより、ＳＮＳサーバ２００にログインする（ステップＳ２０３）。このとき、ＳＮＳサーバ２００の認証部２３１は、端末装置１０からＳＮＳ側ユーザＩＤ及びパスワードを受信する等して認証処理を行う。
【００８１】
続いて、ＳＮＳサーバ２００の配信部２３４は、認証部２３１による認証処理が成功した場合に、端末装置１０のユーザと友人関係にあるユーザによって投稿されたシェアパネルをシェアパネル記憶部２２３から検索する（ステップＳ２０４）。そして、配信部２３４は、検索されたシェアパネルを端末装置１０に配信する（ステップＳ２０５）。
【００８２】
続いて、端末装置１０は、配信部２３４によって配信されたシェアパネルを受信し、受信したシェアパネルをウェブページのシェア用広告枠Ｃ１３に表示する（ステップＳ２０６）。
【００８３】
〔７．変形例〕
上述した実施形態に係るネットワークシステム１は、上記実施形態以外にも種々の異なる形態にて実施されてよい。そこで、以下では、上記のネットワークシステム１の他の実施形態について説明する。
【００８４】
〔７−１．ＳＮＳサーバ２００へのログイン〕
上記実施形態では、図１０のステップＳ１０４や図１１のステップＳ２０３に示した例のように、端末装置１０がＳＮＳサーバ２００にアクセスする際にＳＮＳサーバ２００にログインする例を示した。しかし、情報提供装置１００によって提供されるウェブページには、ＳＮＳサーバ２００へログインするためのログインボタン等が含まれてもよい。この場合、図１０のステップＳ１０４や図１１のステップＳ２０３に示した処理の前に、端末装置１０のユーザがＳＮＳサーバ２００にログイン済みである場合には、図１０のステップＳ１０４や図１１のステップＳ２０３におけるログイン処理は省略されてもよい。
【００８５】
また、情報提供装置１００によって提供されるウェブページからユーザがＳＮＳサーバ２００にログインした場合に、ＳＮＳサーバ２００は、かかるログイン状態をキャッシュ等に保持してもよい。この場合、ＳＮＳサーバ２００にログイン済みのユーザは、ＳＮＳサーバ２００においてログイン状態のキャッシュが削除されない限り、情報提供装置１００から新たにウェブページを取得した場合に、ＳＮＳサーバ２００にログインした状態でウェブページを表示することができる。この場合であっても、図１０のステップＳ１０４や図１１のステップＳ２０３におけるログイン処理は省略されてもよい。
【００８６】
〔７−２．同一ページの遷移防止〕
また、上記実施形態において、情報提供装置１００やＳＮＳサーバ２００は、現に表示されているウェブページに遷移するシェアパネルが表示されないように制御してもよい。具体的には、端末装置１０は、シェアパネルの取得要求をＳＮＳサーバ２００に送信する際に（図１１のステップＳ２０３に対応）、現に表示されているウェブページのＵＲＬについても送信する。かかる場合に、ＳＮＳサーバ２００の配信部２３４は、シェアパネル記憶部２２３に記憶されているシェアパネルのうち、端末装置１０から受信したＵＲＬが埋め込まれていないシェアパネルを取得して端末装置１０に配信する。これにより、端末装置１０は、現に表示されているウェブページと異なる他のウェブページに遷移するシェアパネルを表示することができる。
【００８７】
なお、上記例に限られず、ＳＮＳサーバ２００が複数のシェアパネルを端末装置１０に送信し、端末装置１０がＳＮＳサーバ２００から受信したシェアパネルのうち任意のシェアパネルを表示させてもよい。この場合、端末装置１０は、現に表示されているウェブページのＵＲＬが埋め込まれていないシェアパネルを表示することで、他のウェブページに遷移するシェアパネルを表示することができる。
【００８８】
〔７−３．シェア用広告枠〕
また、上記実施形態では、図２（ｃ）に示した例のように、ウェブページのシェア用広告枠Ｃ１３にシェアパネル自体が表示される例を示した。しかし、シェア用広告枠Ｃ１３には、シェアパネル自体ではなく、ＳＮＳサーバ２００にログインした際に閲覧可能な情報が表示されてもよい。例えば、シェア用広告枠Ｃ１３は、スクロール可能に表示され、友人によってＳＮＳサーバ２００に投稿されたページやシェアパネル等が表示されてもよい。この場合であっても、端末装置１０のユーザは、友人によってＳＮＳサーバ２００に投稿されたシェアパネルを閲覧することができる。
【００８９】
〔７−４．広告主テンプレート〕
また、上記実施形態では、図４に示した例のように、情報提供装置１００がシェアパネルのテンプレートを予め保持する例を示した。しかし、情報提供装置１００が保持するテンプレートは、企業等の広告主によって提供されてもよい。この点について、図１２〜図１４を用いて説明する。
【００９０】
図１２は、変形例に係るネットワークシステム２の構成例を示す図である。図１２に示すように、変形例に係るネットワークシステム２は、図１に示した例と比較して、広告主装置３００が含まれる。なお、図１２では、ネットワークシステム２に１台の広告主装置３００が含まれる例を示したが、ネットワークシステム２には複数台の広告主装置３００が含まれてもよい。
【００９１】
広告主装置３００は、企業等の広告主によって利用されるＰＣ等の情報処理装置であり、シェアパネルのテンプレートを情報提供装置１００に提供する。例えば、広告主装置３００は、広告対象の製品やサービスに関する広告記事や画像等が含まれるテンプレートを情報提供装置１００に提供する。
【００９２】
この例の場合、情報提供装置１００のテンプレート記憶部１２２は、広告主毎に、テンプレートを記憶する。図１３に、変形例に係るテンプレート記憶部１２２の一例を示す。図１３に示すように、変形例に係るテンプレート記憶部１２２は、「広告主ＩＤ」、「種別」、「テンプレート」といった項目を有する。「広告主ＩＤ」は、広告主を識別するための識別子を示す。「種別」は、広告主が属する種別を示し、例えば、広告主が広告対象とする製品やサービスが属する種別に該当する。「テンプレート」は、広告主装置３００から提供されるテンプレートを示す。
【００９３】
すなわち、図１３では、広告主ＩＤ「Ｘ１」によって識別される広告主が、種別「自動車」に属し、テンプレート「ＴＰ１１」及び「ＴＰ１２」を提供した例を示している。このように、広告主装置３００は、複数のテンプレートを情報提供装置１００に提供してもよい。ただし、この例に限らず、広告主装置３００は、１個のテンプレートを情報提供装置１００に提供してもよい。
【００９４】
ここで、図１４に、広告主装置３００によって提供されるテンプレートの一例を示す。なお、図１４に示すテンプレートＴＰ４は、種別「自動車」に属する広告主（自動車メーカー等）によって提供されたものとする。図１４に示すように、テンプレートＴＰ４には、図４に示したテンプレートＴＰ１〜ＴＰ３と同様に、タイトル枠ＰＡ１、コメント枠ＰＡ２及び画像枠ＰＡ３が含まれ、さらに、自動車の画像ＰＡ４が描出されている。例えば、自動車の画像ＰＡ４は、広告主が販売する自動車等に該当する。
【００９５】
このようなテンプレートＴＰ４がユーザにより選択された場合、生成部１３３によって、写真画像が自動車の運転席に組み込まれたシェアパネルが生成される。これにより、テンプレートＴＰ４を提供した広告主は、自社製品や自社サービスの広告としてシェアパネルを配信することができる。上記の通り、ユーザは、友人によって投稿されたコンテンツをクリックする可能性が高い。このため、広告主は、自社製品や自社サービスに関連するテンプレートを情報提供装置１００に提供することにより、訴求効果の高い広告を配信することができる。
【００９６】
なお、情報提供装置１００を管理する情報提供者は、広告主から提供されたテンプレートの利用率に応じて、広告主に対する課金額を決定してもよい。または、情報提供者は、広告主から提供されたテンプレートを用いて生成されたシェアパネルのＣＴＲ（Click  Through  Rate）や表示回数（インプレッション）やＣＶＲ（Conversion  Rate）等に基づいて、広告主に対する課金額を決定してもよい。
【００９７】
また、図１２〜図１４の例において、情報提供装置１００の生成部１３３は、シェアパネルのリンク先となるウェブページの属性に関連するテンプレートを端末装置１０に送信してもよい。例えば、生成部１３３は、自動車関連の記事が掲載されているウェブページのシェアパネルを生成する場合には、図１３に示したテンプレート記憶部１２２から種別「自動車」に対応するテンプレートを取得して端末装置１０に送信する。これにより、情報提供装置１００は、リンク先ウェブページと関連性の高いシェアパネルを生成することができるので、より訴求効果の高いシェアパネルを配信することができる。
【００９８】
また、図１２〜図１４の例において、情報提供装置１００は、広告主装置３００から提供されるテンプレートを保持せずに、シェアパネルを生成する際に、テンプレートを端末装置１０に送信するよう広告主装置３００に指示してもよい。
【００９９】
〔７−５．シェアパネル〕
また、上記実施形態では、情報提供装置１００の生成部１３３が、記事のタイトル、ユーザのコメント、ユーザがタグ付けされている写真画像を含むシェアパネルを生成する例を示した。しかし、生成部１３３により生成されるシェアパネルは、この例に限られない。以下に、シェアパネルの他の例について説明する。
【０１００】
例えば、生成部１３３は、リンク先のウェブページのＵＲＬをシェアパネルに組み込んでもよい。この場合、シェアパネルのテンプレートにはウェブページのＵＲＬを表示するＵＲＬ表示枠が設けられ、生成部１３３は、ウェブページのＵＲＬをＵＲＬ表示枠に組み込む。また、この例に限られず、生成部１３３は、例えばタイトル枠ＰＡ１にウェブページのＵＲＬを組み込んでもよい。
【０１０１】
例えば、生成部１３３は、「記事のタイトル」、「ユーザのコメント」、「タグ付き写真画像」の全てを含むシェアパネルを生成しなくてもよく、いずれか１つ又は２つの項目を含むシェアパネルを生成してもよい。また、情報提供装置１００が１個のテンプレートのみを保持してもよく、この場合、生成部１３３は、テンプレートをユーザに選択させず、かかるテンプレートを用いてシェアパネルを生成する。
【０１０２】
また、例えば、生成部１３３は、ウェブページに表示されている画像をシェアパネルに組み込んでもよい。この場合、シェアパネルのテンプレートには、ウェブページ内の画像を表示するページ内画像表示枠が設けられ、生成部１３３は、ウェブページ内の画像をページ内記事画像表示枠に組み込む。
【０１０３】
一例を挙げて説明すると、例えば、ウェブページの記事表示枠Ｃ１１には、商品に関する記事と商品の画像とが掲載されている場合がある。このとき、生成部１３３は、記事のタイトルだけでなく、商品の画像もシェアパネルに組み込むことで、かかる商品の宣伝効果を高めるシェアパネルを生成することができる。
【０１０４】
また、ウェブページの記事表示枠Ｃ１１には、所定の企業の株価のチャート画像が掲載されている場合がある。このとき、生成部１３３は、株価のチャート画像についてもシェアパネルに組み込むことで、上記のような宣伝目的に限らず、株価の記録目的としたシェアパネルを生成することができる。この点について、図１５を用いて説明する。図１５は、実施形態に係るシェアパネルの一例を示す図である。
【０１０５】
図１５に示した例において、ウェブページＷ１３には、株価のタイトルとして「ＡＡＡ社の株価  ３０，０５０円  前日比  ＋１，３１０」が掲載されるとともに、株価のチャート画像Ｇ２０が掲載される。この場合に、生成部１３３は、図１５の右図に示すように、チャート画像Ｇ２０をページ内画像表示枠に組み込むことで、シェアパネルＰＮ２０を生成する。
【０１０６】
なお、図１５に示した例に限らず、生成部１３３は、例えば、検索サイトによる検索結果画面をページ内画像表示枠に組み込んだシェアパネルや、オークションサイトに掲載される出品物の画像をページ内画像表示枠に組み込んだシェアパネル等を生成することもできる。
【０１０７】
〔７−６．複数のシェアパネル表示〕
また、上記実施形態では、ウェブページに単一のシェアパネルが表示される例を示した。しかし、ウェブページには複数のシェアパネルが表示されてもよい。この場合、端末装置１０は、ＳＮＳサーバ２００にシェアパネルの取得要求を送信する際に（図１１のステップＳ２０３に対応）、取得対象のシェアパネル数をＳＮＳサーバ２００に通知してもよい。そして、ＳＮＳサーバ２００の配信部２３４は、端末装置１０から通知されたシェアパネル数だけシェアパネルをシェアパネル記憶部２２３から取得し、取得した全てのシェアパネルを端末装置１０に配信してもよい。
【０１０８】
また、端末装置１０が取得対象のシェアパネル数をＳＮＳサーバ２００に通知せずに、ＳＮＳサーバ２００の配信部２３４が、予め決められている数（例えば、１０個）のシェアパネルを端末装置１０に配信してもよい。そして、端末装置１０は、配信部２３４から受信した複数のシェアパネルのうち、シェア用広告枠Ｃ１３の数だけ任意のシェアパネルを選択し、選択した各シェアパネルを各シェア用広告枠Ｃ１３に表示してもよい。
【０１０９】
また、情報提供装置１００は、同一のウェブページに関する複数のシェアパネルを関連付けてもよい。具体的には、情報提供装置１００は、シェア用広告枠Ｃ１３に表示されている第１シェアパネルが押下されることで遷移したウェブページにおいて第２シェアパネルを生成した場合に、第２シェアパネルとともに、かかる第２シェアパネルが第１シェアパネルと関連する旨をＳＮＳサーバ２００に通知する。この点について、図１６を用いて説明する。図１６は、実施形態に係る複数のシェアパネルの表示例を示す図である。なお、以下の説明では、シェアパネルには、シェアパネルを識別するためのパネルＩＤがタグ情報等に埋め込まれているものとする。
【０１１０】
図１６（ａ）は、図２（ｃ）と同様に、シェアパネルＰＮ１０を含むウェブページＷ１２を示す。図１６（ａ）の例において、端末装置１０は、ユーザによりシェアパネルＰＮ１０が押下されることでウェブページＷ１１を表示した後に、ウェブページＷ１１のマイシェアボタンＢ１０を押下する操作を受け付けたものとする。そして、情報提供装置１００の生成部１３３は、図１６（ｂ）に示すシェアパネルＰＮ１１を生成したものとする。このとき、生成部１３３は、シェアパネル情報を端末装置１０から取得する際に（図１０のステップＳ１０６に対応）、ウェブページＷ１１の遷移元となったシェアパネルＰＮ１０のパネルＩＤについても取得する。そして、情報提供装置１００の送信部１３４は、シェアパネルＰＮ１１とともに、シェアパネルＰＮ１１に関連するシェアパネルＰＮ１０のパネルＩＤをＳＮＳサーバ２００に送信する。この場合、ＳＮＳサーバ２００の格納部２３３は、シェアパネルＰＮ１１をシェアパネル記憶部２２３に格納し、さらにシェアパネルＰＮ１０のパネルＩＤとシェアパネルＰＮ１１のパネルＩＤとを関連付けて所定の記憶部に記憶しておく。
【０１１１】
この後に、ＳＮＳサーバ２００の配信部２３４は、シェアパネルＰＮ１０を投稿したユーザ、及び、シェアパネルＰＮ１１を投稿したユーザの双方と友人関係にあるユーザの端末装置１０からシェアパネルの取得要求を受信したものとする（図１１のステップＳ２０３に対応）。このとき、配信部２３４は、シェアパネルＰＮ１０をシェアパネル記憶部２２３から取得した場合には、シェアパネルＰＮ１０と関連するシェアパネルＰＮ１１についても取得し、取得したシェアパネルＰＮ１０及びＰＮ１１を端末装置１０に配信する。そして、端末装置１０は、図１６（ｃ）に示すように、相互に関連するシェアパネルＰＮ１０及びＰＮ１１をウェブページに表示する。
【０１１２】
このように、情報提供装置１００は、同一のウェブページに関する複数のシェアパネルを関連付けることにより、関連するシェアパネルを端末装置１０に表示させることができる。このため、関連する複数のシェアパネルを閲覧するユーザは、複数のユーザのコメントを一度に閲覧することができる。この結果、情報提供装置１００は、より訴求効果の高いシェアパネルを配信することができる。
【０１１３】
なお、ＳＮＳサーバ２００の配信部２３４は、シェアパネルの取得要求を受信した場合、上記処理とは反対に、関連するシェアパネルを重複してシェアパネル記憶部２２３から取得しないようにしてもよい。言い換えれば、配信部２３４は、互いに関連しないシェアパネルをシェアパネル記憶部２２３から取得してもよい。これにより、端末装置１０には、異なるウェブページに遷移するシェアパネルが表示されることとなり、多種類のウェブページに関するシェアパネルをユーザに閲覧させることが可能となる。
【０１１４】
また、図１６の例に限られず、情報提供装置１００は、順序を付与して複数のシェアパネルを関連付けてもよい。例えば、情報提供装置１００は、複数のユーザによって投稿される各シェアパネルにストーリー性（物語り性）を持たせた上で、ストーリーの順に順序を付与した複数のシェアパネルを関連付けてもよい。この点について図１７を用いて説明する。図１７は、実施形態に係る複数のシェアパネルの表示例を示す図である。
【０１１５】
図１７（ａ）に示したウェブページＷ１１には、マイシェアボタンＢ１１〜Ｂ１４が表示される。マイシェアボタンＢ１１〜Ｂ１４は、複数のユーザによって投稿される各シェアパネルにストーリー性を持たせる機能を有する。例えば、ストーリーを構成する起承転結のうち、マイシェアボタンＢ１１は「起」に対応し、マイシェアボタンＢ１２は「承」に対応し、マイシェアボタンＢ１３は「転」に対応し、マイシェアボタンＢ１４は「結」に対応する。
【０１１６】
図１７（ａ）の例において、情報提供装置１００の生成部１３３は、「起」に対応するマイシェアボタンＢ１１が押下されることにより、シェアパネルＰＮ１０を生成したものとする。このとき、生成部１３３は、起承転結の「起」であることを示す情報をシェアパネルＰＮ１０に埋め込む。例えば、生成部１３３は、シェアパネルＰＮ１０のタグ情報等に「起」であることを示す情報を設定する。そして、情報提供装置１００の送信部１３４は、シェアパネルＰＮ１０をＳＮＳサーバ２００に送信する。
【０１１７】
この後に、図１７（ｂ）に示すように、シェアパネルＰＮ１０を投稿したユーザと友人関係にあるユーザの端末装置１０に、シェアパネルＰＮ１０を含むウェブページＷ１２が表示されたものとする。そして、ウェブページＷ１２においてシェアパネルＰＮ１０が押下されることにより、図１７（ｃ）に示すように、ウェブページＷ１１が表示されたものとする。このとき、図１７（ｃ）に示したウェブページＷ１１には、遷移元となったシェアパネルＰＮ１０に埋め込まれている「起」以外の「承」、「転」、「結」に対応するマイシェアボタンＢ１２〜Ｂ１４が表示される。
【０１１８】
そして、図１７（ｃ）の例において、情報提供装置１００の生成部１３３は、マイシェアボタンＢ１２が押下されることにより、シェアパネルＰＮ１１を生成したものとする。このとき、生成部１３３は、ウェブページＷ１１の遷移元となったシェアパネルＰＮ１０のパネルＩＤを端末装置１０から取得する。また、生成部１３３は、起承転結の「承」であることを示す情報をシェアパネルＰＮ１１に埋め込む。そして、送信部１３４は、シェアパネルＰＮ１１と、シェアパネルＰＮ１０のパネルＩＤとをＳＮＳサーバ２００に送信する。この場合、ＳＮＳサーバ２００の格納部２３３は、図１６に示した例と同様に、シェアパネルＰＮ１１をシェアパネル記憶部２２３に格納し、さらにシェアパネルＰＮ１０のパネルＩＤとシェアパネルＰＮ１１のパネルＩＤとを関連付けて所定の記憶部に記憶しておく。
【０１１９】
このようにして、情報提供装置１００は、ウェブページＷ１１のシェアパネルとして、起承転結に対応するシェアパネルを複数のユーザに投稿させる。そして、情報提供装置１００は、各シェアパネルを投稿した全てのユーザと友人関係にあるユーザの端末装置１０からシェアパネルの取得要求を受信した場合に、起承転結に対応する各シェアパネルを端末装置１０に配信する。そして、端末装置１０は、起承転結に対応するシェアパネルをウェブページに表示する。このとき、端末装置１０は、シェア用広告枠Ｃ１３の上から順に、「起」、「承」、「転」、「結」に対応するシェアパネルを表示してもよいし、所定の時間が経過するたびに、「起」、「承」、「転」、「結」の順にシェアパネルを同一のシェア用広告枠Ｃ１３に切り替えて表示してもよい。
【０１２０】
これにより、情報提供装置１００は、ストーリー性を有する複数のシェアパネルを端末装置１０に表示させることができる。図１７の例の場合、情報提供装置１００は、４コマ漫画のようなシェアパネルを生成することができるので、このようなシェアパネルを閲覧するユーザに対する訴求効果を高めることができる。
【０１２１】
〔７−７．テンプレート〕
また、上記実施形態において、情報提供装置１００が保持するシェアパネルのテンプレートは、図示したものに限られない。例えば、情報提供装置１００は、ニュース番組をイメージさせるテンプレートとして、ニュースキャスターやニュースキャスターが利用する机（ニュースデスク）等が描出されているテンプレートを保持してもよい。この場合、生成部１３３は、例えば、ニュースキャスターの顔の部分（画像枠ＰＡ３）に写真画像を組み込む。また、情報提供装置１００は、観光地や名産品に関するテンプレートを保持してもよい。例えば、情報提供装置１００は、富士山が描出されているテンプレート等を保持してもよい。
【０１２２】
そして、図１４の例でも説明したが、情報提供装置１００の生成部１３３は、シェアパネルのリンク先となるウェブページの属性に関連するテンプレートの中から、シェアパネルの生成に用いるテンプレートをユーザに選択させてもよい。例えば、生成部１３３は、経済等のニュース記事のウェブページに対するシェアパネルを生成する場合には、上述したニュースデスクをイメージしたテンプレートをテンプレート選択画面Ｗ２１に含め、観光地や名産品に関するウェブページに対するシェアパネルを生成する場合には、かかる観光地や名産品をイメージしたテンプレートをテンプレート選択画面Ｗ２１に含める。
【０１２３】
また、生成部１３３は、シェアパネルを生成する時間帯に応じて、テンプレート選択画面Ｗ２１に含めるテンプレートを変動させてもよい。例えば、生成部１３３は、シェアパネルを生成する時間帯が朝（例えば、６時〜９時）である場合には、爽やかなイメージを連想させるテンプレートをテンプレート選択画面Ｗ２１に含める。
【０１２４】
また、生成部１３３は、端末装置１０が移動体端末である場合には、現在位置を示す位置情報を端末装置１０から取得し、取得した位置情報に応じて、テンプレート選択画面Ｗ２１に含めるテンプレートを変動させてもよい。例えば、生成部１３３は、シェアパネル生成時に端末装置１０が観光地近傍に所在する場合には、かかる観光地に関するテンプレートをテンプレート選択画面Ｗ２１に含める。
【０１２５】
また、上記実施形態では、生成部１３３が、図５（ｂ）、（ｃ）、（ｄ）の順にシェアパネル情報をユーザに入力させる例を示したが、この例に限られない。例えば、生成部１３３は、コメント入力画面Ｗ２２においてコメントを入力させた後に、テンプレート選択画面Ｗ２１においてテンプレートを選択させてもよい。この場合、生成部１３３は、コメント入力画面Ｗ２２において入力されたコメントに基づいて、テンプレート選択画面Ｗ２１に含めるテンプレートを変動させてもよい。例えば、生成部１３３は、コメントを形態素解析し、入力されたコメントに感情（「嬉しい」、「悲しい」など）を示す単語が含まれる場合には、かかる感情に対応するテンプレートをテンプレート選択画面Ｗ２１に含めてもよい。また、生成部１３３は、かかる感情に対応する写真となるように、シェア画像選択画面Ｗ２３において選択された写真画像を加工してもよい。例えば、コメントに「悲しい」といった単語が含まれる場合には、写真画像に描出されているユーザの目に涙の画像を重畳させてもよい。
【０１２６】
また、例えば、生成部１３３は、シェア画像選択画面Ｗ２３において写真画像を選択させた後に、テンプレート選択画面Ｗ２１においてテンプレートを選択させてもよい。この場合、生成部１３３は、シェア画像選択画面Ｗ２３において選択された写真画像に基づいて、テンプレート選択画面Ｗ２１に含めるテンプレートを変動させてもよい。例えば、生成部１３３は、写真画像を解析することにより写真画像に描出されているユーザの感情を推定し、推定した感情に対応するテンプレートをテンプレート選択画面Ｗ２１に含めてもよい。また、生成部１３３は、推定した感情に対応する写真となるように、シェア画像選択画面Ｗ２３において選択された写真画像を加工してもよい。
【０１２７】
また、情報提供装置１００は、テンプレート毎に、ユーザに選択された回数や頻度を記憶してもよい。この場合、生成部１３３は、テンプレート記憶部１２２に記憶されているテンプレートのうち、ユーザによって選択された回数や頻度が高いテンプレートを優先してテンプレート選択画面Ｗ２１に含めてもよい。これにより、情報提供装置１００は、人気の高いテンプレートをユーザに提供することができる。
【０１２８】
また、情報提供装置１００は、ユーザ毎に、かかるユーザによって過去に選択されたテンプレートと写真画像との組合せを履歴情報として記憶してもよい。そして、生成部１３３は、テンプレート記憶部１２２に記憶されているテンプレートのうち、シェア画像選択画面Ｗ２３において選択された写真画像とともに選択された回数の多いテンプレートを優先してテンプレート選択画面Ｗ２１に含めてもよい。また、生成部１３３は、テンプレートを選択させた後に写真画像を選択させる場合には、選択されたテンプレートとともに選択された回数の多い写真画像を優先してシェア画像選択画面Ｗ２３に含めてもよい。
【０１２９】
また、上記実施形態において、情報提供装置１００は、シェアパネル毎に、かかるシェアパネルがクリックされたクリック率（シェアパネルを表示した回数に対するクリック回数の割合）やクリック回数を履歴情報として記憶してもよい。または、情報提供装置１００は、シェアパネルを評価するための評価ボタンとともにシェアパネルをウェブページに表示しておき、シェアパネル毎に、かかるシェアパネルの評価値を記憶してもよい。そして、生成部１３３は、テンプレート記憶部１２２に記憶されているテンプレートのうち、クリック率の高いシェアパネルに用いられているテンプレートや、クリック回数の多いシェアパネルに用いられているテンプレートや、評価値の高いシェアパネルに用いられているテンプレートを優先してテンプレート選択画面Ｗ２１に含めてもよい。これにより、生成部１３３は、クリックされる可能性が高いシェアパネルを生成することができる。
【０１３０】
また、情報提供装置１００は、シェアパネルのリンク先となるウェブページ（すなわち、広告対象のウェブページ）毎に、シェアパネルのクリック率（又はクリック回数）や評価値を履歴情報として記憶してもよい。そして、生成部１３３は、所定のウェブページにリンクするシェアパネルを新たに生成する際に、かかるウェブページをリンク先とする生成済みのシェアパネルのうち、クリック率（又はクリック回数）や評価値の高いシェアパネルに用いられたテンプレートを優先してテンプレート選択画面Ｗ２１に含めてもよい。また、この例に限られず、情報提供装置１００は、シェアパネルのリンク先となるウェブページの属性毎に、シェアパネルのクリック率（又はクリック回数）や評価値を履歴情報として記憶してもよい。ここで言う「ウェブページの属性」は、例えば、ニュースサイト、ファイナンスサイト、天気サイト、ショッピングサイトなどに分類される。また、「ウェブページの属性」は、さらに詳細に分類されてもよく、例えば、ウェブページに掲載されている記事の属性（例えば、政治、スポーツ、芸能など）や、ウェブページに掲載されている商品の属性（例えば、電化製品、食料品など）に該当する。そして、生成部１３３は、所定のウェブページにリンクするシェアパネルを新たに生成する際に、かかるウェブページの属性と一致するウェブページをリンク先とする生成済みのシェアパネルのうち、クリック率（又はクリック回数）や評価値の高いシェアパネルに用いられたテンプレートを優先してテンプレート選択画面Ｗ２１に含めてもよい。これにより、生成部１３３は、リンク先のウェブページとの相性が良いクリックされやすいテンプレートをユーザに推奨することができる。この結果、生成部１３３は、クリックされる可能性が高いシェアパネルを生成することができる。
【０１３１】
〔７−８．表示対象のシェアパネル〕
また、上記実施形態において、ＳＮＳサーバ２００は、シェアパネル毎に、かかるシェアパネルのクリック率（又はクリック回数）を履歴情報として記憶してもよい。また、ＳＮＳサーバ２００は、上記例のようにシェアパネルを評価するための評価ボタンが表示される場合には、シェアパネル毎に、かかるシェアパネルの評価値を記憶してもよい。そして、ＳＮＳサーバ２００の配信部２３４は、端末装置１０からシェアパネルの取得要求を受信した場合に、かかる端末装置１０のユーザと友人関係にあるユーザによって投稿されたシェアパネルのうち、クリック率が高い（又はクリック回数が多い）シェアパネルや、評価値が高いシェアパネルを優先して端末装置１０に配信してもよい。すなわち、配信部２３４は、リンク先のウェブページが同一である複数のシェアパネルが存在する場合に、クリック率や評価値が高いシェアパネルを優先して端末装置１０に配信してもよい。これにより、ＳＮＳサーバ２００は、リンク先が同一であるウェブページであってもシェアパネルを生成したユーザによってクリック率や評価が大きく異なる可能性がある中で、よりクリックされやすいシェアパネルを端末装置１０に配信することができる。
【０１３２】
また、配信部２３４は、上記例とは反対に、リンク先のウェブページが同一である複数のシェアパネルが存在する場合に、クリック率や評価値が低いシェアパネルを優先して端末装置１０に配信してもよい。これは、クリック率や評価値が低いシェアパネルであっても、友人が生成したシェアパネルであれば一般の広告コンテンツよりもクリックされる可能性が高いからである。すなわち、実施形態に係る情報提供装置１００では、友人により生成されたシェアパネルをユーザに閲覧させるからこそ、クリック率や評価値が低いシェアパネルを優先して表示させた場合であっても、クリック率の向上を図ることができる。また、配信部２３４は、リンク先のウェブページのクリック率や評価値が他のリンク先のウェブページのクリック率や評価値と比較して低い場合に、リンク先のウェブページへのリンクが張られているシェアパネルを優先して端末装置１０に配信してもよい。これは、クリック率や評価値が低いウェブページであっても、友人が生成したシェアパネルであればクリックされる可能性が高くなるからである。
【０１３３】
〔７−９．その他〕
また、上記実施形態において、ウェブページのシェア用広告枠Ｃ１３にシェアパネルが表示される例を示したが、一般広告枠Ｃ１２に表示する広告コンテンツが存在しない場合には、一般広告枠Ｃ１２にシェアパネルが表示されてもよい。
【０１３４】
また、上記実施形態において、シェアパネルに組み込まれる写真画像は、タグ付けされている写真画像に限らない。例えば、シェアパネルを生成するユーザや、かかるユーザの友人によってＳＮＳサーバ２００に投稿された写真画像がシェアパネルに組み込まれてもよい。
【０１３５】
また、上記実施形態では、情報提供装置１００が、情報提供装置１００によって提供されるウェブページのシェアパネルを生成する例を示した。しかし、情報提供装置１００は、情報提供装置１００以外の他の装置（例えば、広告主装置３００）によって提供されるウェブページのシェアパネルを生成してもよい。例えば、広告主装置３００の他の装置は、情報提供装置１００へのリンクが張られているマイシェアボタンＢ１０を含むウェブページを端末装置１０に配信する。かかるマイシェアボタンＢ１０がユーザにより押下された場合には、端末装置１０は、情報提供装置１００にアクセスすることで、図５に示した例のようにシェアパネルを生成する。
【０１３６】
また、上記実施形態では、シェアパネルが、ウェブページへのリンク情報である例を示した。しかし、シェアパネルは、ウェブページ以外の他のコンテンツへのリンク情報であってもよい。例えば、シェアパネルは、静止画像、動画像、音楽データ等へのリンク情報であってもよい。
【０１３７】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１３８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３９】
例えば、上記実施形態において、情報提供装置１００とＳＮＳサーバ２００とは同一の装置であってもよい。すなわち、情報提供装置１００は、ウェブページを配信するとともに、ソーシャルネットワーキングサービスを提供するサーバ装置であってもよい。この場合、図３に示した情報提供装置１００は、送信部１３４を有する必要がなく、図６に示した記憶部２２０及び制御部２３０と同様の処理部を有する。
【０１４０】
〔８．効果〕
上述してきたように、実施形態に係る情報提供装置１００は、受付部１３１と、配信部１３２とを有する。受付部１３１は、第１ユーザによって利用される端末装置１０からウェブページ（第１コンテンツの一例に相当）へのアクセス要求を受け付ける。配信部１３２は、受付部１３１によってアクセス要求が受け付けられた場合に、他のウェブページ（他のコンテンツの一例に相当）へのシェアパネル（リンク情報の一例に相当）のうち、所定のソーシャルネットワーキングサービス（コミュニケーションサービスの一例に相当）において第１ユーザと関係性を有する第２ユーザによって投稿されたシェアパネルを含むウェブページを端末装置１０に配信する。
【０１４１】
これにより、実施形態に係る情報提供装置１００は、ユーザにクリックされやすいシェアパネルを広告として配信することができる。具体的には、情報提供装置１００は、友人によって加工されたシェアパネルをウェブページに表示することで、訴求効果の高い広告を配信することができる。
【０１４２】
また、実施形態に係るネットワークシステム１において、シェアパネルを作成するためにＳＮＳサーバ２００にログインすることを要する場合には、ＳＮＳサーバ２００の会員数向上を図ることができる。また、実施形態に係るネットワークシステム１では、シェアパネルにタグ付きの写真画像を埋め込むので、ユーザに対して、写真画像にタグ付けすることを促進できる。すなわち、実施形態に係るネットワークシステム１では、ＳＮＳサーバ２００の利用率の向上を図ることができる。
【０１４３】
また、実施形態に係る情報提供装置１００において、配信部１３２は、第２ユーザを識別するためのユーザ情報（例えば、タグ付き写真画像）を含むシェアパネルが表示されるウェブページを配信する。
【０１４４】
これにより、実施形態に係る情報提供装置１００は、シェアパネルを閲覧するユーザに対して、シェアパネルを投稿したユーザを認識させることができるので、シェアパネルをクリックさせる可能性を向上させることができる。
【０１４５】
また、実施形態に係る情報提供装置１００において、生成部１３３は、所定のウェブページを受信した端末装置１０の第１ユーザによる操作に従って、所定のウェブページへのシェアパネルとして、所定のウェブページを示す情報（例えば、タイトル）、又は、第１ユーザを識別するためのユーザ情報（例えば、タグ付き写真画像）を含むシェアパネルを生成する。
【０１４６】
これにより、実施形態に係る情報提供装置１００は、ウェブページの概要が表示されるシェアパネルを生成することができるので、かかるシェアパネルをクリックさせる可能性を向上させることができる。
【０１４７】
また、実施形態に係る情報提供装置１００において、送信部１３４は、ＳＮＳサーバ２００に対して、生成部１３３によって生成されたシェアパネルを送信する。また、配信部１３２は、送信部１３４によって送信されたシェアパネルを受信したＳＮＳサーバ２００から配信されるシェアパネルが表示されるウェブページを配信する。
【０１４８】
これにより、実施形態に係る情報提供装置１００は、ウェブページを閲覧しているユーザに、かかるウェブページのシェアパネルをＳＮＳサーバ２００に投稿させることができる。
【０１４９】
また、上述した情報提供装置１００やＳＮＳサーバ２００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１５０】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５１】
また、特許請求の範囲に記載した「手段」は、「部（section、module、unit）」や「回路」などに読み替えることができる。例えば、受付手段は、受付部や受付回路に読み替えることができる。
【符号の説明】
【０１５２】
１  ネットワークシステム
１０  端末装置
１００  情報提供装置
１２１  コンテンツ記憶部
１２２  テンプレート記憶部
１３１  受付部
１３２  配信部
１３３  生成部
１３４  送信部
２００  ＳＮＳサーバ
２２１  利用者情報記憶部
２２２  画像記憶部
２２３  シェアパネル記憶部
２３１  認証部
２３２  画像送信部
２３３  格納部
２３４  配信部
【図１】
0005559295.tif 000002
【図２】
0005559295.tif 000003
【図３】
0005559295.tif 000004
【図４】
0005559295.tif 000005
【図５】
0005559295.tif 000006
【図６】
0005559295.tif 000007
【図７】
0005559295.tif 000008
【図８】
0005559295.tif 000009
【図９】
0005559295.tif 000010
【図１０】
0005559295.tif 000011
【図１１】
0005559295.tif 000012
【図１２】
0005559295.tif 000013
【図１３】
0005559295.tif 000014
【図１４】
0005559295.tif 000015
【図１５】
0005559295.tif 000016
【図１６】
0005559295.tif 000017
【図１７】
0005559295.tif 000018